(57)【要約】【課題】装飾デザインの劣化を招かず、また保護用シールとしての働きも発揮でき、加えて利用者がインクジェットプリンタやその他プリンタで装飾デザインを印刷する際、インクジェットプリンタやその他プリンタの印刷に適した表面処理がなされた紙製のデザインシートが利用できる携帯端末用の装飾用シールを提供する。【解決手段】携帯端末２の表面形状に合わせた外形のデザインシート11の表面に、前記外形の保護シート12を積層して構成され、デザインシート11は、表面をプリンタの印刷面とし、接着層111を裏面に設けた紙製シート112で、保護シート12は、透明な凹凸接着層121を裏面に設けた透明な樹脂製シート122である携帯端末の装飾用シール１である。【選択図】図１
2013121701.tif 000002
【特許請求の範囲】
【請求項１】
携帯端末の表面形状に合わせた外形のデザインシートの表面に、前記外形の保護シートを積層して構成され、
デザインシートは、表面をプリンタの印刷面とし、粘着層を裏面に設けた紙製シートで、
保護シートは、透明な接着層又は粘着層を裏面に設けた透明な樹脂製シートである携帯端末の装飾用シール。
【請求項２】
保護シートは、接着層又は粘着層が縦横に凹凸の繰り返される凹凸接着層又は凹凸粘着層である請求項１記載の携帯端末の装飾用シール。
【請求項３】
保護シートは、0.7mm厚〜1.7mm厚である請求項１又は２いずれか記載の携帯端末の装飾用シール。
【発明の詳細な説明】
【技術分野】
【０００１】
本発明は、従来型の携帯電話機、スマートフォン、携帯ゲーム機又はタブレット等の携帯端末に貼り付けて使用する携帯端末の装飾用シールに関する。
【背景技術】
【０００２】
従来型の携帯電話機、スマートフォン、携帯ゲーム機又はタブレット等の携帯端末は、そのまま使用していると表面に傷がつくことから、前記傷を避けるため、保護用シールが貼り付けられることがある。保護用シールは、様々な装飾デザインが施された装飾用シールを兼ねることが多く、近年ではむしろ装飾用シールとしての働きが強い。こうした携帯端末の装飾用シールは、近年普及し始めているスマートフォンやタブレットに平坦な表面（実際にはスマートフォンやタブレットの裏面）が広いことから、前記表面に貼り付けて使用しても見栄えのする大きなものが多くなってきている。
【０００３】
携帯端末の装飾用シールは、例えば特許文献１に見られるように、携帯端末の利用者が装飾デザインを印刷できるものがある。特許文献１が開示する携帯端末の装飾用シールは、表面が粗面化処理された合成樹脂シートに予め携帯端末（携帯電話機）の表面形状に応じた切り込みを入れてシール用紙とし、インクジェットプリンタ（インク噴出型プリンタ）でシート用紙に装飾デザイン（装飾図柄）を印刷した後、前記シール用紙から携帯端末の表面形状に応じた部分を剥離シートから切り出して形成する。装飾用シールは、裏面の粘着層を用いて携帯端末の表面に貼り付ける（特許文献１・請求項１）。
【先行技術文献】
【特許文献】
【０００４】
【特許文献１】特開2000-231333号公報
【発明の概要】
【発明が解決しようとする課題】
【０００５】
特許文献１が開示する携帯端末の装飾用シールは、利用者が装飾デザインを印刷して利用できるので、世界に一つだけのオリジナルな装飾用シールを得られる利点がある。しかし、特許文献１が開示する携帯端末の装飾用シールは、シート用紙に印刷された装飾デザインが保護されておらず、前記装飾デザインの経年劣化や傷がついたり、汚れたりすることを免れない。単なる保護用シールであれば、装飾デザインの劣化や汚損が問題にならないが、利用者が印刷した装飾デザインを有する装飾用シールとして、前記装飾デザインの劣化や汚損は好ましくない。
【０００６】
また、シート用紙は、インクジェットプリンタの印刷を考慮して薄く作られており、前記シート用紙から切り出される装飾用シールも当然薄く、保護用シールとしての働きはほとんど期待できない。このほか、特許文献１が開示する携帯端末の装飾用シールは、耐久性を考慮して合成樹脂シートを採用しているため、前記合成樹脂シートの表面を粗雑にしてインクジェットプリンタの印刷が奇麗になるように工夫している。しかし、装飾デザインを奇麗に印刷するためには、むしろインクジェットプリンタやその他プリンタの印刷に適した表面処理がなされた紙製のデザインシートが好ましい。
【０００７】
装飾用シールは、安価な既製品のバリエーションを増やすことで、多様なニーズを満足することもできるが、やはり利用者が装飾デザインを自由に印刷できる商品態様には敵わない。そこで、装飾デザインの劣化を招かず、また保護用シールとしての働きも発揮でき、加えて利用者がインクジェットプリンタやその他プリンタで装飾デザインを印刷する際、インクジェットプリンタやその他プリンタの印刷に適した表面処理がなされた紙製のデザインシートが利用できる携帯端末用の装飾用シールについて、検討した。
【課題を解決するための手段】
【０００８】
検討の結果開発したものが、携帯端末の表面形状に合わせた外形のデザインシートの表面に、前記外形の保護シートを積層して構成され、デザインシートは、表面をプリンタの印刷面とし、粘着層を裏面に設けた紙製シートで、保護シートは、透明な接着層又は粘着層を裏面に設けた透明な樹脂製シートである携帯端末の装飾用シールである。プリンタの印刷面となるデザインシートの表面は、紙製シートのままでもよいが、前記プリンタの印刷に適した表面処理がなされることが好ましい。プリンタは、インクジェットプリンタのほか、レーザープリンタ、熱転写型プリンタを含む。
【０００９】
デザインシートは、表面に装飾デザインが印刷されるため、白色以外の有色の紙製シートから構成してもよいが、印刷による発色を妨げないように、白色であることが望ましい。これに対して、粘着層は、前記紙製シートの裏面と携帯端末の表面とに挟まれて視認されなくなるので、有色又は無色を問わない。デザインシートの粘着層は、デザインシートが携帯端末に対して着脱自在となる剥離容易性を備えることが好ましい。
【００１０】
保護シートは、デザインシートの表面に印刷された装飾デザインが視認できるように、接着層及び樹脂製シートを無色透明にすることが好ましいが、装飾デザインが視認できる程度に有色透明でもよく、表面又は裏面の光沢又は非光沢を問わない。また、保護シートは、接着層又は粘着層が縦横に凹凸の繰り返される凹凸接着層又は凹凸粘着層（マトリクス加工された接着層又は粘着層、例えば日栄化工株式会社製粘着シート「NE-tak MATRIX/マトリクス（登録商標）」の粘着層参照）であったり、0.7mm厚〜1.7mm厚であったりするとよい。
【００１１】
保護シートの接着層は、紙製シートから構成されるデザインシートに対して分離不能となる剥離抵抗力を備えると、デザインシート及び保護シートを一体の装飾用シールとして取り扱えるようになり、好ましい。また、保護シートの粘着層は、デザインシートが着脱自在となる剥離容易性を備えると、装飾用シールとしてデザインシートの交換、すなわち装飾デザインの変更ができるようになり、好ましい。
【発明の効果】
【００１２】
本発明の装飾シールは、デザインシートの表面に積層した保護シートにより、前記デザインシートの表面に印刷した装飾デザインを劣化や汚損から保護する。保護シートは、接着層が縦横に凹凸の繰り返される凹凸接着層又は粘着層であると、凹凸接着層又は凹凸粘着層の隙間から空気が逃げ、前記デザインシートの表面に対して奇麗に貼り付けることができ、装飾デザインの視認性を悪化させない。また、保護シートは、0.7mm厚〜1.7mm厚にすると、携帯端末の保護用シールの機能も果たす。このほか、凹凸接着層又は凹凸粘着層が保護シートの裏面とデザインシートの表面との隙間を不均一にし、保護シートが前記厚みを有することにより、デザインシートの表面に印刷された装飾デザインが立体的に見えるようになる付随効果も得られる。
【図面の簡単な説明】
【００１３】
【図１】本発明の装飾用シールを貼り付けた携帯端末の一例を表す斜視図である。
【図２】本例の装飾用シールの積層関係を表す斜視図である。
【図３】本例の装飾用シールの積層関係を表す拡大部分断面図である。
【図４】提供状態のデザインシートを表す斜視図である。
【図５】装飾デザインを印刷し終えたデザインシートを表す斜視図である。
【図６】提供状態の保護シートを表す斜視図である。
【図７】剥離シート及び保護フィルムを分離して裏返した保護シートを表す斜視図である。
【図８】装飾デザインを印刷したデザインシートの表面に保護シートを貼り付ける状態を表す斜視図である。
【図９】デザインシート及び保護シートを積層して得られた装飾用シールを携帯端末に貼り付ける状態を表す斜視図である。
【発明を実施するための形態】
【００１４】
以下、本発明の実施形態について図を参照しながら説明する。本発明の装飾用シール１は、図１及び図２に見られるように、例えば平坦な背面を有する携帯端末２の前記背面に貼り付ける。装飾シール１は、装飾デザイン117を印刷したデザインシート11を下層とし、厚みのある透明な保護シート12を上層として、保護シート12の裏面に形成されたマトリクス粘着層121（後掲図７参照）と、記保護シート12の厚みとにより、装飾デザイン117をぼかし、立体的に見せる（図１中の装飾デザイン117は、図２中の装飾デザイン117より淡く、像が浮き出て見えるように表現している）。
【００１５】
携帯端末２は、まず粘着層111により下層のデザインシート11が背面に貼り付けられ、マトリクス粘着層121により上層の保護シート12が前記デザインシート11の表面に貼り付けられる。本例の装飾シール１は、保護シート12に厚みがあり、またデザインシート11及び保護シート12の二重構造になっているので、保護用シールとしての働きもあり、携帯端末２の背面が保護される。また、下層のデザインシート11の表面に印刷された装飾デザイン117は、上層の保護シート12により保護される。
【００１６】
デザインシート11は、図４に見られるように、裏面に粘着層111を形成して樹脂製の剥離シート113に貼り付けられた紙製シートで、携帯端末２の背面形状に合わせた切り取り線114を設けた印刷シート112から、前記切り取り線114に沿って切り出す部分として形成される。切り取り線114は、ハーフカット加工により設けるとよい。本例のデザインシート11は、携帯端末２の背面に設けられたカメラ21に合わせた切り抜き孔115も形成している。こうした切り抜き孔115は、特定位置に設けられているため、後述する保護シート12との重ね合わせに際し、目印になる。
【００１７】
印刷シート112は、デザインシート11の周囲に余白116を形成し、プリンタの印刷に適した定型用紙（Ａ４やハガキ）大である。本例の印刷シート112は、デザインシート11の周囲に大きな余白116を形成し、全体として印刷に適したハガキ大としている。この場合、デザインシート11は、Ａ４対応のインクジェットプリンタのほか、ハガキ印刷専用プリンタで装飾デザイン117が印刷できるようになる。また、余白を含めた印刷シート112を定型用紙大にすれば、定型用紙に合わせた用紙設定ができるようになり、装飾デザインの作成やプリンタによる印刷が容易になる利点もある。
【００１８】
カラー印刷できるプリンタとしてインクジェットプリンタが普及していることから、本例のデザインシート11（デザインシート112）は、インクジェットプリンタの印刷に適した表面処理を表面に施している。このほか、カラーレーザープリンタ、ハガキ印刷専用プリンタ、熱転写型プリンタに対しては、それぞれの印刷に適した表面処理をデザインシート11（デザインシート112）の表面に施すとよい。本発明の装飾用シール１は、デザインシート11と保護シート12とをセットにして販売される。これから、各プリンタの印刷に適した表面処理を施したデザインシート11別に前記セットを用意するとよい。
【００１９】
デザインシート11は、印刷シート112から切り出すことなく、図５に見られるように、前記印刷シート112ごとインクジェットプリンタに通して、装飾デザイン117を印刷する。装飾デザイン117がデザインシート11からはみ出しても、余白116があるため、インクジェットプリンタを汚さない。本例のデザインシート11は、印刷シート112の中央に配置されているため、装飾デザイン117は印刷シート112の中央に合わせて印刷するとよい。装飾デザイン117が印刷されたデザインシート11は、印刷シート112から切り出して保護シート12に重ねてもよいし、後述するように、保護シート12を重ねて一体化してから、印刷シート112から切り出してもよい。
【００２０】
保護シート12は、図６に見られるように、携帯端末２の表面形状に合わせた外形で、携帯端末２のカメラ21に合わせた切り抜き孔125を設けた透明な樹脂製シートで、裏面に縦横に凹凸の繰り返される凹凸接着層121を形成している。凹凸接着層121は、図７に見られるように、保護シート12の裏面（図７中、保護シート12は裏面を上方に向けている）と、縦横に繰り返す凹凸124を形成した樹脂製の剥離シート123の表面との間に接着材を挟むことにより、前記保護シート12の裏面に転写して形成される。保護シート12は、流通に際して表面が傷つかないように、保護フィルム126が重ねられる。
【００２１】
保護シート12は、0.7mm厚〜1.7mm厚、好ましくは1.0mm厚〜1.4mm厚とすることにより、装飾用シール１が保護用シールとしても働くようにする。本例の保護シート12は、凹凸接着層121を形成する基材層としてPETフィルムを用い、前記PETフィルムにポリウレタン樹脂を盛って、1.2mm厚の樹脂層を形成している。肉厚のポリウレタン樹脂は、適度な弾性を備え、手触り感がよい。このほか、ポリウレタン樹脂の周縁を丸めてラウンドフォルムにすると、厚みのある保護シート12と携帯端末２との一体感（携帯端末２の側面から装飾シール１にかけての連続性）が高められる。
【００２２】
デザインシート11と保護シート12とは、図８に見られるように、例えば装飾デザイン117を印刷しながら、印刷シート112から未だ切り出されていないデザインシート11に対して、保護シート12を重ねるようにして貼り合わせ、一体化する。このとき、携帯端末２のカメラ21のために設けた切り抜き孔115,125同士を位置合わせの目印に利用すると、デザインシート11と保護シート12とのズレを防ぐことができる。デザインシート11と保護シート12とは、保護シート12の裏面に形成された凹凸接着層121（図７参照）により、分離不能に接着し、一体化される。凹凸接着層121に代えて凹凸粘着層を用いれば、デザインシート11と保護シート12とを分離して、前記デザインシート11を交換できる。デザインシート11と保護シート12とは、前記デザインシート11を印刷シート112から切り出してから保護シート12を重ねて貼り合わせ、一体化してもよい。
【００２３】
デザインシート11と保護シート12とが分離不能に一体化された装飾用シール１は、図９に見られるように、デザインシート11の裏面に形成された粘着層111（図４参照）により、携帯端末２に貼り付けられる。粘着層111は、装飾用シール１を携帯端末２から剥離容易にする接着力しか発揮せず、利用者の必要に応じて、装飾用シール１を携帯端末２から着脱自在にする。このため、現在携帯端末２に貼り付けた装飾用シール１の装飾デザイン117に飽きたら、前記装飾用シール１ごと剥がし、デザインシート11に別の装飾デザイン117を印刷した別の装飾用シール１を貼り直すことができる。
【符号の説明】
【００２４】
１  装飾用シール
11  デザインシート
12  保護シート
２  携帯端末
【図１】
2013121701.tif 000003
【図２】
2013121701.tif 000004
【図３】
2013121701.tif 000005
【図４】
2013121701.tif 000006
【図５】
2013121701.tif 000007
【図６】
2013121701.tif 000008
【図７】
2013121701.tif 000009
【図８】
2013121701.tif 000010
【図９】
2013121701.tif 000011